(57)【要約】      （修正有）【課題】ポンプ式製品およびエアゾール式製品に備えられたシャットオフ機構において、静止時にはノズル前端部分の操作ボタンからの突出を小さくし、内容物放出時には利用者が使いやすいだけのノズル長さ分を突出するようにして、操作ボタン周りのデザイン性や利便性の向上化を図る。【解決手段】操作ボタン１と一体化した弁部材３，弁部材３に対して移動可能な形で操作ボタン１に取り付けたノズル４，放出孔４ａが弁作用部３ｂに密接して閉状態となるようにノズル４を付勢するコイルスプリング６，内容物放出時に操作ボタン１と連動してノズル４を付勢に逆らって移動させる作動部材７，を備えた。操作ボタン１が押されると操作ボタン１とステムヘッド２との相対移動が作動部材７を介してノズル４を移動させ放出孔４ａが開状態とし、つづいて操作ボタン１とステムヘッド２とが一体となってステム８を押下げ、放出孔４ａから内容物が放出される。【選択図】図１
2010215245.tif 000002
【特許請求の範囲】
【請求項１】
操作ボタンの作動モード設定操作の際に、最初の第１段階で内容物放出部がそれまでの閉状態から開状態に設定され、次の当該開状態のままの第２段階で、内容物通過用開閉部を備えたステムが当該操作ボタンと連動して作動モードに移行するシャットオフ機構において、
前記操作ボタンと一体化されて前記内容物放出部への弁作用を呈する弁部材と、
前記内容物放出部を有し、前記弁部材に対して移動可能な形で前記操作ボタンに取り付けられたノズル状部材と、
前記ノズル状部材を、前記内容物放出部が前記弁部材によって閉状態に設定される第１の方向に付勢する弾性部材と、
前記操作ボタンと連動することにより、前記第１段階では前記ノズル状部材を、前記弾性部材に抗する形で前記内容物放出部が前記閉状態から開状態に変化する第２の方向に移動させ、かつ、前記第２段階では前記ステムをその作動モードへ移行させるシャットオフ用作動部材と、を備えた、
ことを特徴とするシャットオフ機構。
【請求項２】
前記シャットオフ用作動部材は、
前記操作ボタンによって駆動される被駆動部と、
前記ノズル状部材を前記第２の方向に駆動する第１の駆動部と、
前記ステムを作動モードの設定方向に駆動する第２の駆動部と、を有し、
当該第１の駆動部が、当該被駆動部を挟んで当該第２の駆動部とは反対側の部分に形成された部材である、
ことを特徴とする請求項１記載のシャットオフ機構。
【請求項３】
前記シャットオフ用作動部材は、
Ｌ字状の断面形状からなり、
前記第１段階では、
前記被駆動部を中心にして、当該被駆動部が作動モード設定の操作方向に移動し、前記第１の駆動部が前記第２の方向および当該操作方向に移動し、かつ、前記第２の駆動部が当該操作方向の位置を作動モード設定操作前の状態に維持したまま前記第１の方向とは逆方向に移動する部材である、
ことを特徴とする請求項２記載のシャットオフ機構。
【請求項４】
請求項１乃至請求項３のいずれかに記載のシャットオフ機構を備え、かつ、内容物を収容した、
ことを特徴とするポンプ式製品。
【請求項５】
請求項１乃至請求項３のいずれかに記載のシャットオフ機構を備え、かつ、噴射用ガスおよび内容物を収容した、
ことを特徴とするエアゾール式製品。
【発明の詳細な説明】
【技術分野】
【０００１】
本発明は、容器本体内容物の放出操作終了にともない、またその後の静止モードでは外部空間への放出部を閉塞して、その近くの通路域に残留する内容物が当該放出部から外部空間の方に漏出しないようにしたシャットオフ機構、すなわちポンプ式容器におけるたれ（固化）やエアゾール式容器におけるアウタードローなどを防止するシャットオフ機構や、このシャットオフ機構を持つポンプ式製品およびエアゾール式製品に関する。
【０００２】
本明細書においてはノズルの内容物放出部の側（図示左側）を「前」と記し、当該放出部とは反対の図示右側を「後」と記す。また、当該放出部を必要に応じて「放出口」，「放出孔」と記す。
【０００３】
適用対象の内容物には、例えば液状またはクリーム状の石けん，シャンプー，リンス，化粧品，乳液や、発泡性のシェービングフォーム，ヘアスタイリングフォームをはじめとして、後述のように各種のものがある。
【背景技術】
【０００４】
内容物のたれ防止やアウタードロー対策を図るシャットオフ機構は、例えば下記の文献などで開示されている。
【０００５】
これらのシャットオフ機構における内容物放出用のノズルは、その放出口側が操作ボタンの前面部分から突出した状態でステムと一体化されており、当該ノズルが前後方向に移動することはない。そしてノズル内部には、放出口に対する弁部材（放出口弁部材）が前後動可能な形で配設されている。
【０００６】
ここで、操作ボタンの押圧にともなってシャットオフ機構は、
(11)先ず放出口弁部材が弁部材付勢用の弱弾性力に抗する形で後方へ移動して、ノズル放出口をそれまでの閉状態から開状態に変化させ、
(12)この放出口弁部材の後方への移動停止後、ステムが当該操作ボタンとともにステム付勢用の強弾性力に抗する形で下方向に移動して、内容物通過用弁（ステムの一部）をそれまでの閉状態から開状態に変化させる。
【０００７】
その結果、容器内容物は、それぞれ開状態となった内容物通過用弁（ステム）およびノズル放出口を経て外部空間域に放出される。すなわち作動モードとなる。
【０００８】
また、操作ボタンの押圧操作を解除したときには、
(21)先ずステムが強弾性力により上方向に復帰して内容物通過用弁を閉状態とし、
(22)それから放出口弁部材が弱弾性力により前方へ復帰してノズル放出口を閉塞し、操作ボタンも初期位置に復帰する。すなわち静止モードに復帰する。
【先行技術文献】
【特許文献】
【０００９】
【特許文献１】特開２００５−２１２８０１号公報
【発明の開示】
【発明が解決しようとする課題】
【００１０】
このように従来のシャットオフ機構は、ノズル放出口の開閉動作を放出口弁部材の移動（前後動）により行うことが大前提となっている。そしてこれまでも、この前提の下での種々の改良が図られてきた。
【００１１】
本件発明者は、今回、ノズル放出口と放出口弁部材との間の開閉動作はノズルおよび当該弁部材の相対移動に他ならないことに着目し、ノズルを放出口弁部材に対して移動させることによりノズル放出口の開閉動作を行なう形のシャットオフ機構を提案するものである。
【００１２】
すなわち、操作ボタンの作動モード設定操作にともない、ノズル放出口の弁部材ではなくそれが配設されているノズル自体をその初期位置（静止モード）から前方に移動させて、ノズル放出口を開状態に設定するものである。
【００１３】
本発明はこれにより、シャットオフ機構自体に関する基本的場面での技術の豊富化を図ることを目的とする。
【００１４】
また、実利面でも、静止モードにおけるノズル前端部分の操作ボタンからの突出の程度を極力小さくしつつ、内容物放出時には利用者が使いやすいだけのノズル長さ分を突出させることができるようにして、操作ボタン周りのデザイン性や利便性の向上化を図ることを目的とする。
【課題を解決するための手段】
【００１５】
本発明は、以上の課題を次のようにして解決する。
（１）操作ボタン（例えば後述の操作ボタン１）の作動モード設定操作の際に、最初の第１段階で内容物放出部（例えば後述の放出孔４ａ）がそれまでの閉状態から開状態に設定され、次の当該開状態のままの第２段階で、内容物通過用開閉部を備えたステム（例えば後述のステム８）が当該操作ボタンと連動して作動モードに移行するシャットオフ機構において、
前記操作ボタンと一体化されて前記内容物放出部への弁作用を呈する弁部材（例えば後述の弁部材３）と、
前記内容物放出部を有し、前記弁部材に対して移動可能な形で前記操作ボタンに取り付けられたノズル状部材（例えば後述のノズル４）と、
前記ノズル状部材を、前記内容物放出部が前記弁部材によって閉状態に設定される第１の方向に付勢する弾性部材（例えば後述のコイルスプリング６）と、
前記操作ボタンと連動することにより、前記第１段階では前記ノズル状部材を、前記弾性部材に抗する形で前記内容物放出部が前記閉状態から開状態に変化する第２の方向に移動させ、かつ、前記第２段階では前記ステムをその作動モードへ移行させるシャットオフ用作動部材（例えば後述の作動部材７）と、を備える。
（２）上記（１）において、
前記シャットオフ用作動部材は、
前記操作ボタンによって駆動される被駆動部（例えば後述の屈曲部７ｂ）と、
前記ノズル状部材を前記第２の方向に駆動する第１の駆動部（例えば後述の上側二股片部７ｄ）と、
前記ステムを作動モードの設定方向に駆動する第２の駆動部（例えば後述の下側二股片部７ｃ）と、を有し、
当該第１の駆動部が、当該被駆動部を挟んで当該第２の駆動部とは反対側の部分に形成された部材である。
（３）上記（２）において、
前記シャットオフ用作動部材は、
Ｌ字状の断面形状からなり、
前記第１段階では、
前記被駆動部を中心にして、当該被駆動部が作動モード設定の操作方向に移動し、前記第１の駆動部が前記第２の方向および当該操作方向に移動し、かつ、前記第２の駆動部が当該操作方向の位置を作動モード設定操作前の状態に維持したまま前記第１の方向とは逆方向に移動する部材である。
【００１６】
本発明は、このような構成のシャットオフ機構，当該シャットオフ機構を備えたポンプ式製品および当該シャットオフ機構を備えたエアゾール式製品を対象としている。
【発明の効果】
【００１７】
本発明はこのように、操作ボタンの作動モード設定操作にともない、内容物放出部（ノズル）の弁部材ではなくそれが配設されているノズル自体をその初期位置（静止モード）から移動させて、ノズルの内容物放出部を当該弁部材から離間した開状態に設定しており、シャットオフ機構自体に関する基本的場面での技術の豊富化を図ることができる。
【００１８】
また、静止モードにおけるノズル前端部分の操作ボタンからの突出の程度を極力小さくしつつ、内容物放出時には利用者が使いやすいだけのノズル長さ分が突出しえるようにしているので、操作ボタン周りのデザイン性や利便性の向上化を図ることができる。
【図面の簡単な説明】
【００１９】
【図１】シャットオフ機構の静止モードの断面状態を示す説明図である。
【図２】シャットオフ機構の作動モード（内容物放出モード）の断面状態を示す説明図である。
【発明を実施するための最良の形態】
【００２０】
図１および図２を用いて本発明を実施するための最良の形態を説明する。
【００２１】
図１，図２で用いるアルファベット付き参照番号の構成要素（例えば上縦筒状部１ａ）は原則として、当該参照番号の数字部分の構成要素（例えば操作ボタン１）の一部であることを示している。
【００２２】
図１および図２において、
１は鞘状筐体からなる操作ボタン，
１ａは当該操作ボタンの内容物流入空間域を画定する上縦筒状部，
１ｂは当該内容物流入空間域の下流側に続く縦方向通路，
１ｃは当該縦方向通路の下流側に続く横方向通路を画定する横小径筒状部，
１ｄは当該横小径筒状部の外周面との間に形成された環状の横凹状部，
１ｅは後述のノズル４などが配設される横大径筒状部（鞘状部），
１ｆは当該横大径筒状部の下側の前後方向中央に形成された開口部，
１ｇは当該開口部の最後端・最下端部分に相当して後述の作動部材７（屈曲部７ｂ）が当接し、その回動中心として作用する回動基部，
１ｈは当該操作ボタンの内周面の周方向に飛び飛びに形成された突状部，
２は後述のステム８と一体化され、操作ボタン１の押圧操作にともなう例えば下動時にその開始後所定状態になってから連動（下動）するステムヘッド，
２ａは当該ステムから続く通路を構成する内容物通過用の下縦筒状部，
２ｂは下縦筒状部２ａの上端側に形成されて上縦筒状部１ａの内周面に密接する逆スカート状のシール作用部，
２ｃは下縦筒状部２ａの外周面との間に設定されて上縦筒状部１ａの外周面を案内する環状の縦凹状部，
２ｄは当該縦凹状部の外側内周面に形成されたエア流入出用の縦溝状部，
２ｅは静止モード（図１参照）において操作ボタン１の突状部１ｈとの係止作用を呈するとともに、後述の作動部材７の下側二股片部７ｃを上面で受ける環状鍔部，
３は操作ボタン１の横凹状部１ｄに嵌合する状態で取り付けられた弁部材，
３ａは横小径筒状部１ｃに続く内容物通路として作用する横中径筒状部，
３ｂは後述の放出孔４ａに対する弁作用部，
３ｃは横中径筒状部３ａと弁作用部３ｂとの間に形成された内容物通過用の孔部，
３ｄは横中径筒状部３ａの前端側に形成されたシール作動用のスカート部，
４は前後方向に移動可能な形で操作ボタン１の横大径筒状部１ｅに配設された鞘状のノズル，
４ａは容器内容物の放出孔，
４ｂは後端側の外周面に形成された環状段部，
４ｃは後述の作動部材７の上側二股片部７ｄを受ける鞘状端面，
５は横大径筒状部１ｅ（操作ボタン１）の開口側に取り付けられてノズル４の前後動を案内する環状ブッシュ，
６は環状ブッシュ５と環状段部４ｂとの間に配設されてノードを後方に付勢するコイルスプリング，
７は断面が略Ｌ字状で操作ボタン１の回動基部１ｇに当接して支持され、かつ、ステムヘッド２の環状鍔部２ｅおよびノズル４の鞘状端面４ｃに当接して、操作ボタンとステムヘッドおよびノズルとを連動させるための作動部材，
７ａは二股に分かれていない略Ｌ字状の中間連結部分，
７ｂは当該中間連結部分の内側の折れ部分であって操作ボタン１の回動基部１ｇに支持される屈曲部，
７ｃは下面部分がステムヘッド２の環状鍔部２ｅの上面に当接し、かつ、操作ボタン１の上縦筒状部１ａを挟む態様で配設された（屈曲部７ｂとの）略Ｕ字形状からなる一対の下側二股片部，
７ｄは上端外側部分（図示左側）がノズル４の鞘状端面４ｃに当接し、かつ、弁部材３の横中径筒状部３ａを挟む態様で配設された（屈曲部７ｂとの）略Ｕ字形状からなる一対の上側二股片部，
８はステムヘッド２の下縦筒状部２ａの下側開口部内周面に強く嵌合して上方向に弾性的に付勢された周知のステム，
９は容器本体の開口部（図示省略）に取り付けられた周知のネジキャップ（ポンプ式製品の場合），
をそれぞれ示している。
【００２３】
シャットオフ用の作動部材７は、
(31)その屈曲部７ｂが、操作ボタン１の回動基部１ｇに当接して支持され、
(32)その一対の下側二股片部７ｃが、操作ボタン１の上縦筒状部１ａを挟み込んでステムヘッド２の環状鍔部２ｅの上面部分に当接していわば保持され、
(33)その一対の上側二股片部７ｄが、弁部材３の横中径筒状部３ａを挟み込んでノズル４の鞘状端面４ｃに当接していわば保持された、
状態になっている。
【００２４】
操作ボタン１，ステムヘッド２，弁部材３，ノズル４，環状ブッシュ５，作動部材７，ステム８およびネジキャップ９などはポリプロピレン，ポリエチレン，ポリアセタール，ナイロン，ポリブチレンテレフタレートなどからなるプラスチック製のものであり、コイルスプリング６は金属製，プラスチック製のものである。
【００２５】
図示のシャットオフ機構は図１の静止モードのとき、
(41)前後動可能なノズル４は、コイルスプリング６の弾性付勢力により後退し、その放出孔４ａが（操作ボタン１と一体化されて前後方向に移動しない形の）弁部材３の弁作用部３ｂに密接して閉塞状態に設定され、
(42)上下動可能なステム８およびこれと一体のステムヘッド２は、周知のステム付勢用のコイルスプリング（図示省略）の弾性力により、その略上限位置に設定され、
(43)ステムヘッド２とノズル４との間にいわば配設された作動部材７の一対の下側二股片部７ｃは、その後端側下面部分のみが当該ステムヘッドの環状鍔部２ｅの上面部分に当接している。
【００２６】
そして、静止モードの操作ボタン１が下方向に押圧されると、
先ず、
(51)作動部材７の屈曲部７ｂが操作ボタン１の回動基部１ｇにより押し下げられ、
(52)コイルスプリング６の弾性力で後方向（図示右方向）に付勢されている作動部材７は、この屈曲部７ｂの下動にともない、静止モードにおける当該屈曲部と回動基部１ｇとの当接保持関係を維持しつつ、下側二股片部７ｃの後端側下面部分がステムヘッド２の環状鍔部２ｅの上面部分に当接した状態で後方向に移動（＝屈曲部７ｂを中心に回動）し、
(53)この下側二股片部７ｃの後退と連動する形で、作動部材７の上側二股片部７ｄは、回動基部１ｇと当接したままの屈曲部７ｂを中心にしていわば反時計方向（図示左方向）に回動し、
(54)この上側二股片部７ｄの回動にともない（下側二股片部７ｃの下面部分全体がステムヘッド２の環状鍔部２ｅの上面部分に当接するまで）、ノズル４は、その鞘状端面４ｃが当該上側二股片部で押圧されてコイルスプリング６の弾性力に抗する形で前方向（図示左方向）に移動して、放出孔４ａと弁作用部３ｂとの密接状態が解除され、
その後、
(55)作動部材７が回動することなしに、操作ボタン１，ステムヘッド２，作動部材７およびステム８の全体がいわば一体物となって図示下方向に移動する（図２参照）。
【００２７】
なお、以上の操作ボタン１の押下げ操作にともなって作動部材７が回動する際、その下側二股片部７ｃは上縦筒状部１ａに案内され、その上側二股片部７ｄは横中径筒状部３ａに案内される。
【００２８】
上記(55)におけるステム８の図示下方向への移動により、周知のステム弁部分（図示省略）がそれまでの閉状態から開状態に変化する。その結果、容器側内容物が「ステム弁部分-ステム内部通路-下縦筒状部２ａ-縦方向通路１ｂ-横小径筒状部１ｃ-弁部材３の内部空間-ノズル４の内部空間-放出孔４ａ」を介して外部空間域に噴射される。
【００２９】
なお、以上の(51)〜(54)の作動プロセスの間、ステム８およびステムヘッド２は静止モードの位置に略留まったままである。これは、ステム８を上方向に付勢する周知のコイルスプリング（図示省略）の弾性力がノズル付勢用のコイルスプリング６のそれよりも十分に大きいからである。
【００３０】
すなわち、静止モードの操作ボタン１の押下げ操作に基づく図示下方向への駆動力は、当初、作動部材７を介して、もっぱらノズル４をコイルスプリング６の弾性力に抗する形で前方向（図示左方向）に移動させることに用いられる。
【００３１】
このノズル４の前方向への移動は、作動部材７の下側二股片部７ｃの下面部分全体がステムヘッド２の環状鍔部２ｅの上面部分に当接するまで続く。
【００３２】
利用者が操作ボタンの押圧（図２参照）を解除すると、
(61)先ず、図２の一体物状態の、操作ボタン１，ステムヘッド２，作動部材７およびステム８の全体が上記ステム付勢用のコイルスプリングの作用で上方向に復帰して、例えばステム下側部分（図示省略）がネジキャップ９と係止する位置で復帰動作は終わり、
(62)次に、このステムヘッド２などの復帰動作後、ステム付勢用のコイルスプリングよりも弱い弾性力を備えたコイルスプリング６の作用により、ノズル４が図示右側の後方へ移動し、
(63)このノズル４の後方への移動にともない、作動部材７は、その上側二股片部７ｄが（操作ボタン１の回動基部１ｇに支持されたままの）屈曲部７ｂをいわば中心にして、かつ、当該作動部材の後端側下面部分がステムヘッド２の環状鍔部２ｅの上面部分に当接した状態で、図示時計方向に少しだけ回動し、
(64)この作動部材７の回動にともない、操作ボタン１は、その回動基部１ｇの部分が当接相手の屈曲部７ｂで持ち上げられる（このときステムヘッド２およびステム８は上動しない）ことにより、図１の静止モード位置へ復帰する。
【００３３】
以上の図２の作動モードから図１の静止モードへの復帰プロセスと、図１の静止モードから図２の作動モードへの移行プロセスとは、当然のことながらそれぞれの経時的な移動態様が逆の関係になっている。
【００３４】
図示のシャットオフ機構の組み立て手順は例えば次のようになる。
(s1)先ず、操作ボタン１の環状の横凹状部１ｄに弁部材３の横中径筒状部３ａを組み込んで嵌合させ、
(s2)次に、操作ボタン１の横大径筒状部１ｅの内部空間域にノズル４をその内周面に弁部材３のスカート部３ｄが密接する形で組み込み、
(s3)次に、コイルスプリング６をノズル４の外周面と横大径筒状部１ｅ（操作ボタン１）の内周面との間に配設し、
(s4)次に、環状ブッシュ５をコイルスプリング６の前端側（図示左端側）に組み込んで当該環状ブッシュと横大径筒状部１ｅ（操作ボタン１）とを嵌合させ、
(s5)次に、作動部材７を操作ボタン１の図示下側開口部から入れて、その上側二股片部７ｄが弁部材３の横中径筒状部３ａを挟み、かつ、その下側二股片部７ｃが操作ボタン１の上縦筒状部１ａを挟む態様で組み込み、
(s6)次に、ステム８と嵌合したステムヘッド２を操作ボタン１の図示下側開口部から入れていき、当該ステムヘッドを、その環状鍔部２ｅが操作ボタン１の突状部１ｈの図示上側の位置に配設される態様で組み込む。
【００３５】
ここで、上述したように操作ボタン１およびステムヘッド２はプラスチック製のものであっていくらかの変形復帰作用を呈する。そのため上記(s6)の工程でステムヘッド２の環状鍔部２ｅを操作ボタン１の突状部１ｈの図示上方位置まで入れ込むことができる。
【００３６】
本発明が以上の実施形態に限定されないことは勿論であって例えば、
(71)操作ボタン１の回動基部１ｇおよび作動部材７の屈曲部７ｂを双方が回動可能な状態で係止，連結される形態のものとする、
(72)上記(s5)および(s6)の組立工程を、上記(s5)の組立後の操作ボタン１の上下を図示とは逆にした状態で行なう、
ようにしてもよい。
【００３７】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００３８】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００３９】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４０】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４１】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００４２】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４３】
高分子化合物としては、メチルセルロース，ゼラチン，デンプン，カゼイン，ヒドロキシエチルセルロース，キサンタンガム，カルボキシビニルポリマーなどを用いる。
【００４４】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００４５】
さらに、上記内容物以外の、懸濁剤，紫外線吸収剤，乳化剤，保湿剤，酸化防止剤、金属イオン封鎖剤なども用いることができる。
【００４６】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００４７】
１：操作ボタン
１ａ：上縦筒状部
１ｂ：縦方向通路
１ｃ：横小径筒状部
１ｄ：環状の横凹状部
１ｅ：横大径筒状部（鞘状部）
１ｆ：開口部
１ｇ：回動基部
１ｈ：突状部
２：ステムヘッド
２ａ：下縦筒状部
２ｂ：シール作用部
２ｃ：環状の縦凹状部
２ｄ：縦溝状部
２ｅ：環状鍔部
３：弁部材
３ａ：横中径筒状部
３ｂ：弁作用部
３ｃ：内容物通過用の孔部
３ｄ：スカート部
４：鞘状のノズル
４ａ：放出孔
４ｂ：環状段部
４ｃ：鞘状端面
５：環状ブッシュ
６：コイルスプリング
７：作動部材
７ａ：中間連結部分
７ｂ：屈曲部
７ｃ：下側二股片部
７ｄ：上側二股片部
８：ステム
９：ネジキャップ（ポンプ式製品の場合）
【図１】
2010215245.tif 000003
【図２】
2010215245.tif 000004